(57)【要約】【課題】  インストルメントパネルの一部で計器視認用開口の下縁を構成して意匠性を向上させたインストルメントパネルにおいて、メータクラスタをインストルメントパネルにクリップ固定できるようにする。【解決手段】計器視認用開口１１の下縁１３を構成するインストルメントパネル１部を計器面Ｍ１の下縁近傍に至るまで延在させて、計器視認用開口１１の上縁１２を構成するインストルメントパネル１部と平面視で大きく重なるようになし、メータクラスタ２を略平板状に成形して、当該メータクラスタ２の前端を計器面Ｍ１の上縁近傍に位置させるとともに、メータクラスタ２の後端を、略Ｕ字断面に折り返した計器視認用開口上縁１２の折り返し端１２１に近接して位置させ、折り返されて計器視認用開口１１の内方へ向く折り返し端１２１に、メータクラスタ２を取り付けるクリップ用開口３１の開口半部１５を形成するとともに、メータクラスタ２の後端にクリップ用開口の残る開口半部２６を形成する。  【選択図】        図２
2007186070.tif 000002
【特許請求の範囲】
【請求項１】
計器視認用開口の下縁を構成するインストルメントパネル部を計器面の下縁近傍に至るまで延在させて、計器視認用開口の上縁を構成するインストルメントパネル部と平面視で大きく重なるようになし、メータクラスタを略平板状に成形して、当該メータクラスタの一端を前記計器面の上縁近傍に位置させるとともに、メータクラスタの他端を、略Ｕ字断面に折り返した前記計器視認用開口上縁の折り返し端に近接して位置させ、折り返されて計器視認用開口の内方へ向く前記折り返し端に、前記メータクラスタを取り付けるクリップ用開口の開口半部を形成するとともに、前記メータクラスタの他端に前記クリップ用開口の残る開口半部を形成したことを特徴とするメータクラスタの取付構造。
【請求項２】
前記開口半部を、Ｕ字形状をなして一方へ開放する切欠きとし、前記残る開口半部を、前記切欠きの開放部を塞ぐ直線状の凸部とした請求項１に記載のメータクラスタの取付構造。
【発明の詳細な説明】
【技術分野】
【０００１】
本発明は車両用インストルメントパネルの計器視認用開口に設置されるメータクラスタの取付構造に関する。
【背景技術】
【０００２】
図６にはメータクラスタを備えた車両用インストルメントパネルの分解斜視図を示す。図６において、インストルメントパネル４には左右方向のほぼ中央に計器視認用開口４１が形成されている。当該開口４１は、横長矩形に形成されたパネル凹陥部４１１の左右の側壁間を、細長い梁部４１２で連結して略長方形に形成されており、当該開口４１内に、ほぼ同径の筒状に成形されたメータクラスタ５が装着される。その取付構造の詳細を図７に示す。インストルメントパネル４の開口上縁４２は略Ｕ字断面に開口４１内へ折り返されており、折返し端４２１の長手方向（図７の紙面垂直方向）三箇所に突出片４３が形成されて、これら突出片４３に図８に示すように円形の取付孔４３１が設けられている。
【０００３】
メータクラスタ５はその上側壁５１の上面前端（図７の左端）の三箇所（図６）に形成された係止片５３が、計器部Ｍの上縁突起Ｍ２に嵌合して位置決めされるとともに、上側壁５１の上面後端の三箇所（図６）に形成された円形取付孔５４がインストルメントパネル４の上記取付孔４３１に一致させられて、これら取付孔５４，４３１内に花弁状に拡開するクリップ３２を挿入することにより、メータクラスタ５の上側壁５１がインストルメントパネル４の開口上縁４２に固定されている。メータクラスタ５の下側壁５２はインストルメントパネル４の梁部４１２の上方に位置して計器視認用開口４１の下縁を構成しており、上記下側壁５２の左右端部に設けた突出片５５（図６）の取付孔５５１を、インストルメントパネル４の開口４１下縁の左右位置に設けた取付孔４１３に一致させて、これら取付孔５５１，４１３内にボルトを挿入してインストルメントパネル４に固定される。
【０００４】
ここで、特許文献１には、筒状のメータクラスタ（メータフード）をインストルメントパネルの計器視認用開口内に装着するための取付構造の一例が示されている。
【特許文献１】特開平９−１７５２３３
【発明の開示】
【発明が解決しようとする課題】
【０００５】
ところで、上記従来のインストルメントパネル４の計器視認用開口４１はその下縁が、インストルメントパネル４とは別材のメータクラスタ５の下側壁５２で構成されており、意匠性向上の観点より、上記開口４１の下縁を、当該開口４１の上縁４２と同様にインストルメントパネル４の一部で構成したいという要請があった。しかし、この場合には、計器視認用開口の下縁を構成するインストルメントパネル４部を上記開口４１内へ大きく進入させる必要があり、開口４１の下縁を構成するインストルメントパネル４部分が当該開口４１の上縁４２を構成するインストルメントパネル４部と平面視で大きく重なるために、開口上縁４２の突出片４３に上記円形取付孔４３１を空けるための上下移動式スライド型の設置が困難になり、クリップ３２を使用したメータクラスタ５の簡易な固定ができないという問題が生じる。
【０００６】
そこで、本発明はこのような課題を解決するもので、計器視認用開口の上縁とともに、インストルメントパネルの一部で計器視認用開口の下縁を構成して意匠性を向上させたインストルメントパネルにおいて、メータクラスタをインストルメントパネルにクリップ固定できるようにしたメータクラスタの取付構造を提供することを目的とする。
【課題を解決するための手段】
【０００７】
上記目的を達成するために、本第１発明では、計器視認用開口（１１）の下縁（１３）を構成するインストルメントパネル（１）部を計器面（Ｍ１）の下縁近傍に至るまで延在させて、計器視認用開口（１１）の上縁（１２）を構成するインストルメントパネル（１）部と平面視で大きく重なるようになし、メータクラスタ（２）を略平板状に成形して、当該メータクラスタ（２）の一端を計器面（Ｍ１）の上縁近傍に位置させるとともに、メータクラスタ（２）の他端を、略Ｕ字断面に折り返した計器視認用開口上縁（１２）の折り返し端（１２１）に近接して位置させ、折り返されて計器視認用開口（１１）の内方へ向く折り返し端（１２１）に、メータクラスタ（２）を取り付けるクリップ用開口（３１）の開口半部（１５）を形成するとともに、メータクラスタ（２）の他端にクリップ用開口（３１）の残る開口半部（２６）を形成する。
【０００８】
本第１発明においては、平面視で計器用開口の下縁と大きく重なる上縁にはクリップ用開口の半部を形成すればよいから、当該半部をスライド型のスライド方向へ負角を生じないようなものとすればスライド型を容易に設置することができる。そして、上記半部１５をメータクラスタに形成した半部で補完してクリップ用開口としているから、当該クリップ用開口内に花弁状に拡開する従来のクリップを挿入して、計器視認用開口内に簡易にメータクラスタを固定することができる。
【０００９】
本第２発明では、上記開口半部を、Ｕ字形状をなして一方へ開放する切欠き（１５）とし、上記残る開口半部を、上記切欠き（１５）の開放部を塞ぐ直線状の凸部（２６）とする。本第２発明においては、各開口半部を簡易に形成することができる。
【００１０】
なお、上記カッコ内の符号は、後述する実施形態に記載の具体的手段との対応関係を示すものである。
【発明の効果】
【００１１】
以上のように、本発明のメータクラスタの取付構造によれば、計器視認用開口の上縁とともに、インストルメントパネルの一部で計器視認用開口の下縁を構成して意匠性を向上させたインストルメントパネルにおいて、メータクラスタをインストルメントパネルにクリップで簡易に固定することができる。
【発明を実施するための最良の形態】
【００１２】
図１には本発明の取付構造で取り付けられるメータクラスタを備えた車両用インストルメントパネルの分解斜視図を示す。図１において、インストルメントパネル１の略中央右寄りに計器視認用開口１１が形成されており、当該開口１１は、その上縁１２が上方へ円弧状に湾曲するとともに、下縁１３は下方へ円弧状に湾曲している。上記開口１１の上縁１２および下縁１３はいずれも、インストルメントパネル１の一部で構成されており、開口下縁１３を構成するインストルメントパネル１部は計器面Ｍ１（図２参照）の近傍まで上記開口１１内へ大きく進入して、当該開口１１の上縁１２を構成するインストルメントパネル１部と平面視で大きく重なっている。このような構造の計器視認用開口１１内にメータクラスタ２が装着される。
【００１３】
図１において、メータクラスタ２は両端部２１を、これらの間に位置する本体部２２に対してねじれた姿勢とした板状体で、上記両端部２１に突設された複数の係止爪２３が計器視認用開口１１の両端部のインストルメントパネル１に設けた取付孔１４内に挿入されて、メータクラスタ２が上記開口１１内に位置決めされる。メータクラスタ２の本体部２２には前端上面の長手方向三箇所に逆Ｌ字状に屈曲して突出する挿入片２４が形成されているとともに、後端上面の長手方向三箇所には取付用座部２５が突出形成されている。取付用座部２５の詳細を図３に示す。取付用座部２５はメータクラスタ本体部２２の板面の円形領域を上方へ突出成形したもので、その頂面２５ａ中心には円形のクリップ挿入孔２５１が形成されている。そして、クリップ挿入孔２５１に沿う頂面２５ａ外周の前側端に一定長の直線状凸部が形成されて開口半部２６としてある。
【００１４】
メータクラスタ２は図２に示すように、前端の挿入片２４を計器部Ｍ上方に形成された挿入間隙Ｓ内に差し込んで位置決めされ、この状態で後端の取付用座部２５が開口上縁１２方向へ延びている。開口上縁１２は略Ｕ字断面に折り返されて、折り返し端１２１の長手方向（図２の紙面垂直方向）三箇所に突出片１４が形成されている。突出片１４は図４に示すように、開口上縁１２の上壁下面から垂下する立壁１４１に支持された水平壁１４２を備えており、水平壁１４２には前方へ開放するＵ字形の切欠きが形成されて開口半部１５としてある。
【００１５】
そして、メータクラスタ２後端に形成された取付用座部２５の頂面２５ａ（図２）が上記水平壁１４２の下面に接しており、この状態で、図５に示すようにＵ字形の開口半部１５の開放部が、取付座部２５の直線状の開口半部２６によって塞がれて、全周がほぼ閉鎖されたクリップ用開口３１が形成されている。このクリップ用開口３１内へ、クリップ挿入孔２５１（図３）を経て図２に示すように花弁状に拡開するクリップ３２を挿入することにより、メータクラスタ２後端が開口上縁１２に形成された突出片１４に固定されている。
【００１６】
このような本実施形態の取付構造によれば、平面視で計器用開口１１の下縁１３と大きく重なった開口上縁１２に、従来のような円形取付孔ではなく、前方へ開放する開口半部１５を形成すれば良いから、水平移動式のスライド型を設置して容易に形成することができる。そして、上記開口半部１５をメータクラスタ２の取付座部２５に形成した開口半部２６で補完してクリップ用開口３１としているから、当該クリップ用開口３１内にクリップ３２を挿入して計器視認用開口１１内に簡易にメータクラスタ２を固定することができる。なお、上記実施形態では開口半部１５をＵ字形状とし、開口半部２６をその開放部を塞ぐような直線状としたが、開口半部１５が水平移動式スライド型に対して負角を生じることなく開放する形状であれば、両開口半部１５，２６の形状は特に限定されない。
【図面の簡単な説明】
【００１７】
【図１】本発明の一実施形態を示す、メータクラスタを備えたインストルメントパネルの分解斜視図である。
【図２】図１のII−II線に沿った断面図である。
【図３】図１のＡ部拡大斜視図である。
【図４】図２のＸ方向から見た斜視図である。
【図５】図２のＹ方向から見た、メータクラスタ後端の拡大平面図である。
【図６】従来例を示す、メータクラスタを備えたインストルメントパネルの分解斜視図である。
【図７】図６のVII−VII線に沿った断面図である。
【図８】計器視認用開口の開口上縁に形成された突出片の平面図である。
【符号の説明】
【００１８】
１…インストルメントパネル、１１…計器視認用開口、１２…開口上縁、１２１…折り返し端、１３…開口下縁、１５…開口半部、２…メータクラスタ、２６…開口半部、３１…クリップ用開口、Ｍ１…計器面。
【図１】
2007186070.tif 000003
【図２】
2007186070.tif 000004
【図３】
2007186070.tif 000005
【図４】
2007186070.tif 000006
【図５】
2007186070.tif 000007
【図６】
2007186070.tif 000008
【図７】
2007186070.tif 000009
【図８】
2007186070.tif 000010
【手続補正書】
【提出日】平成18年1月16日(2006.1.16)
【手続補正１】
【補正対象書類名】図面
【補正対象項目名】全図
【補正方法】変更
【補正の内容】
【図１】
2007186070.tif 000011
【図２】
2007186070.tif 000012
【図３】
2007186070.tif 000013
【図４】
2007186070.tif 000014
【図５】
2007186070.tif 000015
【図６】
2007186070.tif 000016
【図７】
2007186070.tif 000017
【図８】
2007186070.tif 000018